(57)【特許請求の範囲】
【請求項１】
それぞれ接続用バスバーを有する一方及び他方の機器における複数の前記接続用バスバーを重ね合わせ状態として構成された重ね合わせバスバーを、弾性部材の一対の撓み片間に挟み付けて接続するバスバー接続構造において、
前記重ね合わせバスバーの前記一対の撓み片間への挿入位置を位置決めする位置決め部を備え、
前記一対の撓み片は、前記重ね合わせバスバーを挟持する一対の挟持部を有し、
前記複数の接続用バスバーのうちの少なくとも一つの接続用バスバーには、前記重ね合わせバスバーが前記位置決め部に位置決めされた際に前記一対の挟持部間に配される突部が設けられており、
前記弾性部材がハウジングに収容されてバスバー接続具が構成されており、
前記ハウジングは、前記弾性部材が収容される収容室を備え、前記収容室には、前記重ね合わせバスバーを当該収容室内に挿入可能とする開口部が設けられており、
前記収容室に収容された前記弾性部材は、前記収容室内における位置及び姿勢を所定の範囲で変更可能に構成されており、
前記一対の撓み片には、前記収容室内で変更されうる前記弾性部材の位置及び姿勢の前記所定の範囲で前記開口部に挿入された前記重ね合わせバスバーに当接する当接部が設けられており、前記当接部に当接した前記重ね合わせバスバーは、当該重ね合わせバスバーが前記一対の撓み片間に位置するように前記弾性部材を前記収容室内で移動させるバスバー接続構造。
【請求項２】
前記ハウジングに設けられた複数の前記収容室に複数の前記弾性部材が収容されており、
複数の前記重ね合わせバスバーが前記複数の弾性部材の各一対の撓み片間に挿入される請求項１に記載のバスバー接続構造。
【請求項３】
前記突部は、前記複数の接続用バスバーが対向する対向面に設けられている請求項１又は請求項２に記載のバスバー接続構造。
【請求項４】
前記突部は、１つの前記接続用バスバーにのみ設けられている請求項１ないし請求項３のいずれか一項に記載のバスバー接続構造。
【請求項５】
前記突部は、前記接続用バスバーの挿入方向の先端部には、設けられていない請求項１ないし請求項４のいずれか一項に記載のバスバー接続構造。
【請求項６】
前記突部は、複数であり
前記複数の突部は、前記接続用バスバーにおける前記一対の挟持部間の位置に並んで配されている請求項１ないし請求項５のいずれか一項に記載のバスバー接続構造。
【請求項７】
前記位置決め部は、前記弾性部材のうち、前記一対の撓み片を連結する連結部に設けられている請求項１ないし請求項６のいずれか一項に記載のバスバー接続構造。
【請求項８】
前記弾性部材がハウジングに収容されてバスバー接続具が構成されている請求項１ないし請求項７のいずれか一項に記載のバスバー接続構造。
【発明の詳細な説明】
【技術分野】
【０００１】
本発明は、バスバー接続構造に関する。
【背景技術】
【０００２】
従来、互いに異なる機器に連なる２枚の接続用バスバーを重ね合わせ状態とし、この重ね合わせ状態のバスバーを弾性部材で挟みつけることで接続用バスバー間に接圧を与えて接続するようにした技術が知られている。
【０００３】
下記特許文献１は、雄コネクタの雄バスバーと雌コネクタの雌バスバーとをコネクタ嵌合時に重ね合わせ状態とし、ボルトを回して移動ブロックを重ね合わせ状態のバスバー側に移動させる。これにより、移動ブロック内に固定されたバネのＵ字状の弾性接触片が弾性拡開して重ね合わせ状態のバスバーがＵ字状の弾性接触片の内側に挿通されるとともに、弾性接触片の弾性反発力で重ね合わせ状態のバスバー挟み込んで接圧を与えるようになっている。
【先行技術文献】
【特許文献】
【０００４】
【特許文献１】特開２０１１−１８５７９号公報
【発明の概要】
【発明が解決しようとする課題】
【０００５】
ところで、特許文献１の構成のように、重ね合わせ状態のバスバーをＵ字状の弾性接触片に当接させて弾性接触片を弾性拡開させる場合には、重ね合わせ状態のバスバーの接続の際に強い力が必要となる。このように、特許文献１では強い力を与えるためにボルトを回転させて移動ブロックを少しずつ移動させているが、このようにボルトを回転させて移動ブロックを移動させる場合には、重ね合わせ状態のバスバーの接続作業が煩雑になりやすいという問題がある。
【０００６】
一方、弾性接触片を容易に弾性拡開できるように構成すれば、バスバーの接続作業を容易にすることが可能になるが、この場合、重ね合わせバスバーを挟持する力が十分ではなくなり、接続用バスバー間の接圧が十分ではなくなるおそれがある。
【０００７】
本発明は上記のような事情に基づいて完成されたものであって、簡素な構成で、接続用バスバー間の接圧を高めることが可能なバスバー接続構造を提供することを目的とする。
【課題を解決するための手段】
【０００９】
本発明は、それぞれ接続用バスバーを有する一方及び他方の機器における複数の前記接続用バスバーを重ね合わせ状態として構成された重ね合わせバスバーを、弾性部材の一対の撓み片間に挟み付けて接続するバスバー接続構造において、前記重ね合わせバスバーの前記一対の撓み片間への挿入位置を位置決めする位置決め部を備え、前記一対の撓み片は、前記重ね合わせバスバーを挟持する一対の挟持部を有し、前記複数の接続用バスバーのうちの少なくとも一つの接続用バスバーには、前記重ね合わせバスバーが前記位置決め部に位置決めされた際に前記一対の挟持部間に配される突部が設けられており、前記弾性部材がハウジングに収容されてバスバー接続具が構成されており、前記ハウジングは、前記弾性部材が収容される収容室を備え、前記収容室には、前記重ね合わせバスバーを当該収容室内に挿入可能とする開口部が設けられており、前記収容室に収容された前記弾性部材は、前記収容室内における位置及び姿勢を所定の範囲で変更可能に構成されており、前記一対の撓み片には、前記収容室内で変更されうる前記弾性部材の位置及び姿勢の前記所定の範囲で前記開口部に挿入された前記重ね合わせバスバーに当接する当接部が設けられており、前記当接部に当接した前記重ね合わせバスバーは、当該重ね合わせバスバーが前記一対の撓み片間に位置するように前記弾性部材を前記収容室内で移動させるところに特徴を有する。
本構成によれば、重ね合わせバスバーが位置決め部に位置決めされれば、複数の接続用バスバーのうちの少なくとも一つの接続用バスバーに設けられた突部が、一対の挟持部間に配される。このように、重ね合わせバスバーを位置決め部まで挿入するだけで、一対の挟持部間に配された突部の厚み分だけ、一対の挟持部が重ね合わせバスバーを挟持する力を強くすることができる。よって、簡素な構成で、接続用バスバー間の接圧を高めることが可能となる。
また、バスバー接続具を用いて一対の撓み片間に重ね合わせバスバーを挟み付ける作業を行うことが可能になる。
また、収容室に収容された弾性部材は、収容室内における位置及び姿勢を所定の範囲で変更可能に構成されているため、重ね合わせバスバーを挿入可能な寸法の公差を、弾性部材がハウジングに固定されている場合における一対の撓み片間の寸法よりも大きく設定することが可能になる。
また、このように、弾性部材の位置及び姿勢が変更可能に構成されていても、一対の撓み片には、収容室内で変更されうる弾性部材の位置及び姿勢の所定の範囲で、開口部に挿入された重ね合わせバスバーに当接する当接部が設けられており、当接部に当接した重ね合わせバスバーは、当該重ね合わせバスバーが一対の撓み片間に位置するように弾性部材を収容室内で移動させるため、重ね合わせバスバーを一対の撓み片間に弾性力で挟み付けることができ、重ね合わせバスバーにおける各接続用バスバー間について所定の接触圧を確保した接続を行うことが可能になる。
よって、接続用バスバー間の接触圧を確保しつつ、重ね合わせバスバーを挿入可能な寸法の公差を大きくすることが可能となる。
【００１０】
上記構成に加えて以下の構成を有すればより好ましい。
・前記突部は、前記複数の接続用バスバーが対向する対向面に設けられている。
突部を複数の接続用バスバーが対向する対向面とは反対側の面に設けた場合には、一対の撓み片間への重ね合わせバスバーの挿入の際に突部が邪魔になるおそれがあるが、本構成によれば、突部は、複数の接続用バスバーが対向する対向面に設けられているため、重ね合わせバスバーの一対の撓み片間への挿入を容易にすることができる。
【００１１】
・前記突部は、１つの前記接続用バスバーにのみ設けられている。
例えば、複数の接続用バスバーのそれぞれに突部を設けた場合には重ね合わせバスバーが全体として肉厚になり、重ね合わせバスバーを一対の撓み片間に挿入しにくくなるおそれがあるが、本構成によれば、一対の撓み片間への重ね合わせバスバーの挿入を容易にすることが可能になる。
【００１２】
・前記突部は、前記接続用バスバーの挿入方向の先端部には、設けられていない。
このようにすれば、接続用バスバーの挿入方向の先端部については、必ずしも突部の厚み寸法分だけ厚くならないため、重ね合わせバスバーの挿入を容易にすることが可能になる。
【００１３】
・前記突部は、複数であり前記複数の突部は、前記接続用バスバーにおける前記一対の挟持部間の位置に並んで配されている。
このようにすれば、突部が１個の場合と比較して、複数の接続用バスバーを安定した姿勢で、一対の挟持部間に挟持させることが可能になる。
【００１４】
・前記位置決め部は、前記弾性部材のうち、前記一対の撓み片を連結する連結部に設けられている。
このようにすれば、簡素な構成で、重ね合わせバスバーの挿入位置の位置決めをすることが可能になる。
【００１９】
・前記ハウジングに設けられた複数の前記収容室に複数の前記弾性部材が収容されており、複数の前記重ね合わせバスバーが前記複数の弾性部材の各一対の撓み片間に挿入される。
複数の重ね合わせバスバーを複数の弾性部材で接続する構成では、複数の重ね合わせバスバー間に寸法の誤差が生じる場合がある。本構成によれば、このように複数の重ね合わせバスバー間の寸法の誤差が生じやすい場合に、重ね合わせバスバーを挿入可能な寸法の公差を大きくすることができるため、寸法の誤差による重ね合わせバスバーの挿入の際の不具合を防止することが可能になる。
【発明の効果】
【００２０】
本発明によれば、簡素な構成で、接続用バスバー間の接圧を高めることが可能なバスバー接続構造とすることができる。
【図面の簡単な説明】
【００２１】
【図１】実施形態１のバスバー接続構造を用いて重ね合わせ状態の接続バスバー間を接続した状態を示す断面図
【図２】バスバー接続具を被取付部材に取り付ける前の状態を示す断面図
【図３】バスバー接続具を示す正面図
【図４】バスバー接続具を示す底面図
【図５】バスバー接続具のカバー部が取り外された状態を示す断面図
【図６】重ね合わせバスバーが開口部に挿入される状態を説明する図
【図７】他の重ね合わせバスバーが開口部に挿入される状態を説明する図
【図８】一対の撓み片間に重ね合わせバスバーが挿入される状態を説明する図
【図９】収容室内における異なる位置及び姿勢の弾性部材について一対の撓み片間に重ね合わせバスバーが挿入される状態を説明する図
【図１０】収容室内における異なる位置及び姿勢の弾性部材について一対の撓み片間に重ね合わせバスバーが挿入される状態を説明する図
【図１１】収容室内における異なる位置及び姿勢の弾性部材について一対の撓み片間に重ね合わせバスバーが挿入される状態を説明する図
【図１２】重ね合わせバスバーが一対の撓み片間を通って位置決め部まで挿入された状態を示す図
【図１３】弾性部材が収容室内で最大傾いた状態を示す図
【図１４】拡径部の外面側を弧とする扇形の角度が９０度以上である場合の弾性部材を示す図
【図１５】拡径部の外面側を弧とする扇形の角度が９０度より小さい場合の弾性部材を示す図
【図１６】接続用バスバーにおける突部が形成された側の面を示す図
【図１７】実施形態２の接続用バスバーにおける突部が形成された側の面を示す図
【図１８】実施形態３の接続用バスバーにおける突部が形成された側の面を示す図
【発明を実施するための形態】
【００２２】
＜実施形態１＞
本発明の実施形態１を図１ないし図１６を参照しつつ説明する。
本実施形態のバスバー接続構造は、図１に示すように、自動車等の車両に配された一方の機器３０及び他方の機器３３のそれぞれから延出された接続用バスバー３１，３４Ａを、バスバー接続具１０に収容された弾性部材１１で挟み付けて接続用バスバー３１，３４Ａ間を接続するものである。以下では、上下方向及び左右方向については、図１を基準とし、図１の紙面手前側を前方、紙面奥方を後方として説明する。
【００２３】
（バスバー接続具）
バスバー接続具１０は、複数（本実施形態では、８個）の弾性部材１１と、複数の弾性部材１１が収容されるハウジング１７とを備えている。
（弾性部材）
弾性部材１１は、例えば、ステンレス又は鉄からなる金属製であって、帯状の金属板材を略Ｕ字状に曲げ加工を施して形成されており、図１３に示すように、弾性変形可能な一対の撓み片１２，１２と、一対の撓み片１２，１２の基端部を円弧状に連ねる連結部１６とからなる。
【００２４】
一対の撓み片１２，１２は、連結部１６に連なる基端部側から先端側に向けて一対の撓み片１２，１２間の間隔を狭めるように内方側に傾斜した一対の縮径部１３，１３と、縮径部１３，１３の終端部に連なり、縮径部１３，１３よりも延出長さが短く、一対の撓み片１２，１２の先端側に向けて互いに離間する方向に円弧状に反り返った一対の拡径部１５，１５とを備える。縮径部１３，１３と拡径部１５，１５の境界部分は、両撓み片１２，１２間の間隔が最も小さくなり、接続用バスバー３１，３４Ａからなる重ね合わせバスバー３５を挟持可能な一対の挟持部１４，１４とされている。
【００２５】
一対の挟持部１４，１４間の寸法（重ね合わせバスバー３５の挿入前における一対の挟持部１４，１４の内面間の寸法）は、２枚の接続用バスバー３１，３４Ａを（後述する突部３２を挟んで）平行に重ねた重ね合わせバスバー３５の厚み寸法よりも小さい。これにより、一対の撓み片１２，１２の間に重ね合わせバスバー３５を連結部１６に突き当たるまで挿入すると、一対の撓み片１２，１２が重ね合わせバスバー３５の厚みにより外方側に撓み変形し、その弾性的な復元力により２枚の接続用バスバー３１，３４Ａ間に接触圧が生じる。
【００２６】
拡径部１５，１５の内面側（下面側）は、重ね合わせバスバー３５の挿入時に重ね合わせバスバー３５の先端が当接する当接部１５Ａ，１５Ａとされている。
連結部１６の内面側（下面側）は、接続用バスバー３１，３４Ａの挿入の際に接続用バスバー３１，３４Ａの先端が当接して接続用バスバー３１，３４Ａとの間を挿入方向に位置決めする位置決め部１６Ａとされている。
【００２７】
（ハウジング）
ハウジング１７は、図５に示すように、各弾性部材１１を収容する収容凹部２０が並んで設けられた本体部１８と、本体部１８の下方に被せられるカバー部２４とからなる。
本体部１８は、複数の弾性部材１１を収容する箱形の収容部１９と、収容部１９の下端から鍔状に外方側に突出するフランジ部２３とを有する。
【００２８】
収容部１９には、各弾性部材１１が収容される複数（８個）の収容凹部２０が左右に並んで設けられており、各収容凹部２０間は、仕切り壁２１によって仕切られている。
【００２９】
収容部１９の側面には、図３に示すように、ロック突部１８Ａが形成されている。ロック突部１８Ａは、段差状に突出し、カバー部２４側に向けて傾斜状に突出寸法が小さくなる形状をなす。
【００３０】
フランジ部２３は、図４に示すように、円形状の取付孔２３Ａが貫通形成されている。取付孔２３Ａには、ボルトＢＴの軸部が挿通される円筒形状のカラー（図示しない）が嵌め込まれる。そして、図２に示すように、ボルトＢＴを被取付部材３６に設けられたネジ溝を有するボルト孔３６Ａにボルト締めすることで被取付部材３６に取り付け可能になっている。なお、ハウジング１７をシールド機能を生じさせる金属製のシールドシェルで覆うようにし、シールドシェルを被取付部材３６に取り付けるようにしてもよい。
【００３１】
カバー部２４は、図５に示すように、収容部１９の下端側（開放側）に装着されて収容部１９の底壁を形成するものであり、板状部２５と、板状部２５の上方に突出して仕切り壁２１の下端に突き当てられる仕切り凸部２７とを備えている。
板状部２５は、収容部１９に被せられることにより、収容部１９との間に複数の弾性部材１１を収容可能な複数の収容室２８を形成する。
【００３２】
板状部２５には、重ね合わせバスバー３５を挿入可能な複数（８個）の開口部２６が貫通形成されている。
開口部２６は、板状部２５に貫通形成されており、開口部２は、下方に向けて傾斜状に開口径が大きくなるガイド面を有し、このガイド面により重ね合わせバスバー３５の収容室２８側への案内が容易になっている。
【００３３】
仕切り凸部２７は、図１３に示すように、板状部２５の上面から山形に突出しており、その上端は仕切り壁２１の下端に突き当てられるとともに、その両側は、テーパ状に角が取られている。
この仕切り凸部２７の側面は、弾性部材１１が左右に移動したり弾性部材１１の姿勢が傾斜した場合に、撓み片１２の先端部（の端面）が係止される係止部２７Ａとされている。係止部２７Ａは、仕切り壁２１の面よりも内側に突出しており、この係止部２７Ａに撓み片１２の先端部が係止されることにより収容室２８内における弾性部材１１の所定以上の移動及び姿勢の変更が規制される。
この仕切り凸部２７が仕切り壁２１の下端に連なることで各収容室２８の側壁が形成される。
【００３４】
収容室２８は、断面が概ね長方形状の空間を有し、弾性部材１１を収容した際には、弾性部材１１との間に弾性部材１１の位置及び姿勢を所定の範囲で変更可能なクリアランスを有している。これにより、弾性部材１１は、収容室２８内において、クリアランスの範囲内で左右方向の移動が許容されているとともに、弾性部材１１の姿勢もクリアランスに応じて傾いた姿勢となることが許容されている（図８〜図１１）。
【００３５】
カバー部２４の側面には、図３に示すように、本体部１８のロック突部１８Ａに係止される枠形のロック受け部２４Ａが形成されており、ロック受け部２４Ａの撓み変形によりロック突部１８Ａがロック受け部２４Ａ内に配されて係止されることでカバー部２４が本体部１８に被せられた状態に保持される。
【００３６】
ここで、弾性部材１１及び収容室２８は、図１３に示すように、弾性部材１１が収容室２８内において最大傾いたときの一対の撓み片１２，１２の下端（先端）間の左右方向の寸法Ａｃｏｓθ（即ち、左右方向に対して角度θ傾いた弾性部材１１の一対の撓み片１２，１２の下端間の寸法Ａを左右方向の面に投影した寸法）が、収容室２８における一方の係止部２７Ａと、収容室２８における他方の係止部２７Ａ側の開口端２６Ｂと、の間の寸法（Ｗ／２＋Ｓ／２）より大きくなっている。
即ち、Ａｃｏｓθ＞（Ｗ＋Ｓ）/２となる範囲で設定されている。
【００３７】
ここで、上記式の「Ｗ」は、左右の仕切り凸部２７（の係止部２７Ａ）間の寸法である。また、図１３では、一方の係止部２７Ａと開口端２６Ｂとの間の寸法と弾性部材１１の寸法との関係を示しているが、他方の係止部２７Ａと一方の係止部２７Ａ側の開口端２６Ａとの間の寸法と弾性部材１１の寸法との関係についても同様に設定されている。
【００３８】
なお、上記「一対の撓み片１２，１２の下端」は、図１４に示すように、拡径部１５，１５を弧とする扇形の角度φ（中心角）が９０度以上である場合には、拡径部１５，１５の弧を含む円の下端となるが、図１５に示すように、拡径部１５，１５を弧とする扇形の角度φ（中心角）が９０度に満たない場合には、円の下端ではなく、一対の撓み片１２，１２の先端部が下端となる。
（一方の機器）
一方の機器３０は、図２に示すように、機器本体（図示しない）を箱形の機器ケース３０Ａに収容している。この機器ケース３０Ａは金属製で、例えば自動車のボディに固定されている。
この機器３０には、内部の機器本体から機器ケース３０Ａの上面に設けられた挿通孔（図示しない）を通って上方に突出する複数本（本実施形態では８本）の板状の接続用バスバー３１が、左右方向（接続用バスバー３１の厚み方向）に等間隔で並んで設けられている。
【００３９】
接続用バスバー３１には、図１６に示すように、複数（本実施形態では２個）の突部３２が前後（図１６では左右）に並んで設けられている。
突部３２は、接続用バスバー３１の右面（他方の接続用バスバー３４Ａとの対向面）から半円球状に膨出しており、円弧状の周面を有する。
この突部３２は、弾性部材１１のプレス加工時に金属板材における一方の面（対向面とは反対側の面）から半球状の金型を押し当てて成形することができる。
【００４０】
この突部３２の上下方向における中心位置は、図１２に示すように、重ね合わせバスバー３５一対の撓み片１２，１２の間に挿入されて接続用バスバー３１の先端が位置決め部１６Ａに突き当てられた状態において、一対の挟持部１４，１４の上下方向における最も幅狭となる部分の高さ位置に等しくなっている。
これにより、重ね合わせバスバー３５を一対の撓み片１２，１２の間に位置決め部１６Ａに突き当たるまで挿入すると、突部３２が、一対の挟持部１４，１４間に配される。
【００４１】
（他方の機器）
他方の機器３３は、図２に示すように、車両において一方の機器３０とは異なる箇所に配されており、この他方の機器３３からバスバー３４が左右方向に延びている。
バスバー３４は、その末端側がＬ字型に屈曲されており、屈曲部分よりも先は、上下方向に延びる複数本（本実施形態では８本）の板状の接続用バスバー３４Ａとされている。なお、他方の機器３３から電線を介して接続用バスバー３４Ａに接続するようにすることも可能であり、この場合、電線の端末に圧着等の公知の接続手段により取付けられる端子金具に接続用バスバー３４Ａを形成してもよい。
【００４２】
一方の機器３０の接続用バスバー３１と他方の機器３３の接続用バスバー３４Ａは、互いに突部３２を介して接触若しくはわずかな隙間を生じて対向配置されることで互いに重なり合っており、これにより２枚の接続用バスバー３１，３４Ａが重ね合わされた状態の重ね合わせバスバー３５が構成されている。
なお、重ね合わせバスバー３５の向き（上下方向に延びた姿勢）は、機器３０，３３に各接続用バスバー３１，３４Ａが強固に保持されているためほとんど変化しないようになっている。
【００４３】
次に、バスバー接続具１０の重ね合わせバスバー３５への組み付けについて説明する。
バスバー接続具１０を下降させ、バスバー接続具１０の開口部２６側を重ね合わせバスバー３５に近付けていく。このとき、重ね合わせバスバー３５を構成する接続用バスバー３１，３４Ａの左右方向の位置が、例えば、図６，７に示すように、接続用バスバー３１，３４Ａが開口端２６Ａ，２６Ｂ内の外側にある場合であっても、開口部２６のガイド面の傾斜に当接して接続用バスバー３１，３４Ａが開口端２６Ａ，２６Ｂ側に案内される。
【００４４】
そして、そこから更に、バスバー接続具１０を下降させていく。このとき、重ね合わせバスバー３５の位置が、例えば、図８〜図１１に示すように、一対の挟持部１４，１４間にない場合には、当接部１５Ａ，１５Ａに重ね合わせバスバー３５が当接する。
【００４５】
重ね合わせバスバー３５から力を受けた撓み片１２は、撓み変形しつつ一対の撓み片１２，１２間の中間側に接続用バスバー３１，３４Ａが位置するように、弾性部材１１の収容室２８内における位置及び姿勢を、例えば、図８〜図１１の２点鎖線で示した弾性部材１１Ａの位置に変更させる。そして、更に、バスバー接続具１０を下降させると、重ね合わせバスバー３５が一対の撓み片１２，１２間を弾性変形させつつ内側に入り込んでいき、重ね合わせバスバー３５の先端が位置決め部１６Ａに突き当たって位置決めされ、突部３２が一対の挟持部１４，１４間に配される（図１２）。このとき、弾性部材１１の弾性復元力により挟み付けられた接続用バスバー３１，３４Ａの間には突部３２の厚み（突出寸法）に応じた所定の接触圧が生じている。
【００４６】
本実施形態によれば、以下の作用・効果を奏する。
（１）本実施形態によれば、重ね合わせバスバー３５が位置決め部１６Ａに位置決めされれば、複数の接続用バスバー３１，３４Ａのうちの少なくとも一つの接続用バスバー３１に設けられた突部３２が、一対の挟持部１４，１４間に配される。このように、重ね合わせバスバー３５を位置決め部１６Ａまで挿入するだけで、一対の挟持部１４，１４間に配された突部３２の厚み分だけ、一対の挟持部１４，１４が重ね合わせバスバー３５を挟持する力を強くすることができる。
よって、簡素な構成で、接続用バスバー３１，３４Ａ間の接圧を高めることが可能となる。
【００４７】
（２）突部３２は、複数の接続用バスバー３１，３４Ａが対向する対向面に設けられている。
突部３２を外面（複数の接続用バスバーが対向する対向面とは反対側の面）に設けた場合には、一対の撓み片１２，１２間への重ね合わせバスバー３５の挿入の際に突部３２が邪魔になるおそれがあるが、本実施形態によれば、突部３２は、複数の接続用バスバー３１，３４Ａが対向する対向面に設けられているため、重ね合わせバスバー３５の一対の撓み片１２，１２間への挿入を容易にすることができる。
【００４８】
（３）突部３２は、１つの接続用バスバー３１にのみ設けられている。
例えば、複数の接続用バスバー３１，３４Ａのそれぞれに突部３２を設けた場合には重ね合わせバスバー３５が全体として肉厚になり、重ね合わせバスバー３５を一対の撓み片１２，１２間に挿入しにくくなるおそれがあるが、本実施形態によれば、一対の撓み片１２，１２間への重ね合わせバスバー３５の挿入を容易にすることが可能になる。
【００４９】
（４）突部３２は、接続用バスバー３１の挿入方向の先端部には、設けられていない。
このようにすれば、接続用バスバー３１の挿入方向の先端部については、必ずしも突部３２の厚み寸法分だけ厚くならないため、重ね合わせバスバー３５の挿入を容易にすることが可能になる。
【００５０】
（５）突部３２は、複数であり、複数の突部３２は、接続用バスバー３１における一対の挟持部１４，１４間の位置に並んで配されている。
このようにすれば、突部３２が１個の場合と比較して、複数の接続用バスバー３１，３４Ａを安定した姿勢で、一対の挟持部１４，１４間に挟持させることが可能になる。
【００５１】
（６）位置決め部１６Ａは、弾性部材１１のうち、一対の撓み片１２，１２を連結する連結部１６に設けられている。
このようにすれば、簡素な構成で、重ね合わせバスバー３５の挿入位置の位置決めをすることが可能になる。
【００５２】
（７）弾性部材１１がハウジング１７に収容されてバスバー接続具１０が構成されている。
このようにすれば、バスバー接続具１０を用いて一対の撓み片１２，１２間に重ね合わせバスバー３５を挟み付ける作業を行うことが可能になる。
【００５３】
（８）ハウジング１７は、弾性部材１１が収容される収容室２８を備え、収容室２８には、重ね合わせバスバー３５を当該収容室２８内に挿入可能とする開口部２６が設けられており、収容室２８に収容された弾性部材１１は、収容室２８内における位置及び姿勢を所定の範囲で変更可能に構成されており、一対の撓み片１２，１２には、収容室２８内で変更されうる弾性部材１１の位置及び姿勢の所定の範囲で開口部２６に挿入された重ね合わせバスバー３５に当接する当接部１５Ａ，１５Ａが設けられており、当接部１５Ａ，１５Ａに当接した重ね合わせバスバー３５は、当該重ね合わせバスバー３５が一対の撓み片１２，１２間に位置するように弾性部材１１を収容室２８内で移動させる。
【００５４】
このようにすれば、収容室２８に収容された弾性部材１１は、収容室２８内における位置及び姿勢を所定の範囲で変更可能に構成されているため、重ね合わせバスバー３５を挿入可能な寸法の公差を、弾性部材１１がハウジング１７に固定されている場合における一対の撓み片１２，１２間の寸法よりも大きく設定することが可能になる。
【００５５】
また、このように、弾性部材１１の位置及び姿勢が変更可能に構成されていても、一対の撓み片１２，１２には、収容室２８内で変更されうる弾性部材１１の位置及び姿勢の所定の範囲で、開口部２６に挿入された重ね合わせバスバー３５に当接する当接部１５Ａ，１５Ａが設けられており、当接部１５Ａ，１５Ａに当接した重ね合わせバスバー３５は、当該重ね合わせバスバー３５が一対の撓み片１２，１２間に位置するように弾性部材１１を収容室２８内で移動させるため、重ね合わせバスバー３５を一対の撓み片１２，１２間に弾性力で挟み付けることができ、重ね合わせバスバー３５における各接続用バスバー３１，３４Ａ間について所定の接触圧を確保した接続を行うことが可能になる。
よって、接続用バスバー３１，３４Ａ間の接触圧を確保しつつ、重ね合わせバスバー３５を挿入可能な寸法の公差を大きくすることが可能となる。
【００５６】
（９）ハウジング１７に設けられた複数の収容室２８に複数の弾性部材１１が収容されており、複数の重ね合わせバスバー３５が複数の弾性部材１１の各一対の撓み片１２，１２間に挿入される。
複数の重ね合わせバスバー３５を複数の弾性部材１１で接続する構成では、複数の重ね合わせバスバー３５間に寸法の誤差が生じる場合がある。本実施形態によれば、このように複数の重ね合わせバスバー３５間の寸法の誤差が生じやすい場合に、重ね合わせバスバー３５を挿入可能な寸法の公差を大きくすることができるため、寸法の誤差による重ね合わせバスバー３５の挿入の際の不具合を防止することが可能になる。
【００５７】
＜実施形態２＞
実施形態２では、図１７に示すように、突部３７の形状を前後方向（図１７では左右方向）に長尺の形状としたものである。以下、実施形態１と同一の構成については、同一の符号を付して説明を省略する。
突部３７は、接続用バスバー３１の右面に前後方向に長い長円形状に形成されている。
この突部３７についても接続用バスバー３１における上下方向の位置は、接続用バスバー３１の先端が位置決め部１６Ａに位置決めされた際に、突部３７が一対の挟持部１４，１４間に配される位置とされている。
【００５８】
＜実施形態３＞
実施形態３は、図１８に示すように、上下方向に長尺の長円形状とした突部３８を前後に複数並べてものである。以下、実施形態１と同一の構成については、同一の符号を付して説明を省略する。
この突部３８の上下方向の中間位置は、一対の挟持部１４，１４間の間隔が最も狭くなる位置とされている。
このように突部３８を挿入方向に長尺に形成すれば、接続用バスバー３１における挿入方向の寸法公差を大きくすることができる。
【００５９】
＜他の実施形態＞
本発明は上記記述及び図面によって説明した実施形態に限定されるものではなく、例えば次のような実施形態も本発明の技術的範囲に含まれる。
（１）上記実施形態では、２枚の接続用バスバー３１，３４Ａの一方に突部３２を設けたが、２枚の接続用バスバー３１，３４Ａの双方に突部３２（３７，３８）を設けるようにしてもよい。また、接続用バスバーは、２枚に限らず、３枚以上であってもよい。
【００６０】
（２）上記実施形態では、２個の突部３２（３７，３８）を設けたが、これに限らず、１個又は３個以上の突部３２を設けるようにしてもよい。
（３）突部の形状についても、少なくとも突部が一対の挟持部１４，１４間に配されるのであれば、上記した円形状（半円球状）や長円形状に限らず、種々の形状に設定することが可能である。
【００６１】
（４）上記実施形態では、接続用バスバー３１，３４Ａの内面（対向面）に突部３２を設けたが、これとは反対側の面（外面）に突部３２（３７，３８）を設けるようにすることも可能である。
（５）上記実施形態では、重ね合わせバスバー３５の挿入位置を位置決めする位置決め部１６Ａとして弾性部材１１の連結部１６を用いたが、これに限られない。例えば、弾性部材１１とは別に、重ね合わせバスバー３５の位置決めのための構成を設けるようにしてもよい。
【００６２】
（６）上記実施形態では、一対の撓み片１２，１２の延出された側から重ね合わせバスバー３５を挿入する構成であったが、これに限られない。例えば、一対の撓み片１２，１２の延出方向とは交差する方向（例えば、直交方向）から重ね合わせバスバー３５を一対の撓み片１２，１２に挿入する構成に本発明を適用してもよい。
（７）上記構成では、重ね合わせバスバー３５の挿入時に一対の撓み片１２，１２が弾性拡開する構成としたが、これに限らず、一対の撓み片１２，１２を弾性拡開させる撓み片拡開手段を設け、撓み片拡開手段により一対の撓み片１２，１２を弾性拡開させた後に、重ね合わせバスバー３５を一対の撓み片１２，１２の間に挿入し、その後、一対の撓み片１２，１２を弾性復元して一対の撓み片１２，１２間に重ね合わせバスバー３５（の突部）が挟持されるようにしてもよい。
【００６３】
（８）弾性部材１１には、ステンレス又は鉄を用いることとしたが、これに限らず、アルミニウムやアルミニウム合金、銅や銅合金等の他の金属を用いることも可能である。また、金属に限らず、接続バスバー間の接触圧を確保できる程度の弾性力を生じさせることが可能な樹脂等の部材を用いるようにしてもよい。
（９）上記構成では、８個の弾性部材１１に対して８個の重ね合わせバスバー３５をそれぞれ挟持させる構成としたが、弾性部材１１や重ね合わせバスバー３５の数については、これに限らず、７個以下や、９個以上であってもよい。また、上記構成では、複数の重ね合わせバスバー３５の全てに突部３２，３７，３８を設けたが、これに限らず、例えば、一部の重ね合わせバスバー３５に突部を設けないようにしてもよい。
【符号の説明】
【００６４】
１０…バスバー接続具
１１（１１Ａ）…弾性部材
１２，１２…一対の撓み片
１３，１３…一対の縮径部
１４，１４…一対の挟持部
１５，１５…一対の拡径部
１５Ａ，１５Ａ…当接部
１６…連結部
１６Ａ…位置決め部
１７…ハウジング
１８…本体部
１９…収容部
２０…収容凹部
２１…仕切り壁
２４…カバー部
２６…開口部
２７…仕切り凸部
２７Ａ…係止部
２８…収容室
３０…一方の機器
３１…接続用バスバー
３２，３７，３８…突部
３３…他方の機器
３４Ａ…接続用バスバー
３５…重ね合わせバスバー
３６…被取付部材
【図１】
0005850241.tif 000002
【図２】
0005850241.tif 000003
【図３】
0005850241.tif 000004
【図４】
0005850241.tif 000005
【図５】
0005850241.tif 000006
【図６】
0005850241.tif 000007
【図７】
0005850241.tif 000008
【図８】
0005850241.tif 000009
【図９】
0005850241.tif 000010
【図１０】
0005850241.tif 000011
【図１１】
0005850241.tif 000012
【図１２】
0005850241.tif 000013
【図１３】
0005850241.tif 000014
【図１４】
0005850241.tif 000015
【図１５】
0005850241.tif 000016
【図１６】
0005850241.tif 000017
【図１７】
0005850241.tif 000018
【図１８】
0005850241.tif 000019